(57)【特許請求の範囲】
【請求項１】
フロアパネルと、
前記フロアパネルの下面に固定され、車両の走行に用いられるエネルギを出力する蓄電装置と、を有し、
前記蓄電装置は、
複数の蓄電素子を含む第１蓄電スタックと、
前記蓄電装置の充放電を制御するために用いられ、前記第１蓄電スタックに対して前記車両の下方に位置する電子機器と、
前記第１蓄電スタックおよび前記電子機器を収容し、前記フロアパネルの下面に固定されるケースと、
を有することを特徴とする車両。
【請求項２】
前記第１蓄電スタックと接続され、冷却媒体を前記第１蓄電スタックに供給するダクトを有しており、
前記電子機器は、前記第１蓄電スタックおよび前記ダクトの接続部分に対して、前記車両の下方に位置していることを特徴とする請求項１に記載の車両。
【請求項３】
前記フロアパネルは、前記車両の上方に向かって窪んだトンネルを有しており、
前記第１蓄電スタックの少なくとも一部は、前記トンネルの内側に位置していることを特徴とする請求項１又は２に記載の車両。
【請求項４】
前記トンネルは、前記車両の前後方向に延びており、
前記第１蓄電スタックの前記複数の蓄電素子は、前記トンネルの長手方向に並んでいることを特徴とする請求項３に記載の車両。
【請求項５】
前記トンネルは、運転席および助手席の間に位置していることを特徴とする請求項３又は４に記載の車両。
【請求項６】
前記蓄電装置は、前記ケースに収容され、複数の蓄電素子を含む第２蓄電スタックを備えており、
前記第２蓄電スタックは、前記第１蓄電スタックに沿って、前記電子機器と並んで配置されていることを特徴とする請求項１から５のいずれか１つに記載の車両。
【請求項７】
前記第２蓄電スタックの前記複数の蓄電素子は、前記車両の左右方向に並んでいることを特徴とする請求項６に記載の車両。
【請求項８】
前記第２蓄電スタックを複数有しており、
前記複数の第２蓄電スタックは、前記車両の前後方向に並んでいることを特徴とする請求項７に記載の車両。
【請求項９】
前記第２蓄電スタックに接続され、冷却媒体を前記第２蓄電スタックに供給するダクトを有することを特徴とする請求項６から８のいずれか１つに記載の車両。
【請求項１０】
前記電子機器は、前記蓄電装置および負荷の間における通電および非通電を切り替えるリレーであることを特徴とする請求項１から９のいずれか１つに記載の車両。
【請求項１１】
車両に搭載され、前記車両の走行に用いられるエネルギを出力する蓄電装置であって、
複数の蓄電素子を含む第１蓄電スタックと、
前記蓄電装置の充放電を制御するために用いられ、前記第１蓄電スタックに対して前記車両の下方に位置する電子機器と、
前記第１蓄電スタックおよび前記電子機器を収容し、前記車両のフロアパネルの下面に固定されるケースと、
を有することを特徴とする蓄電装置。
【請求項１２】
前記フロアパネルは、前記車両の上方に向かって窪んだトンネルを有しており、
前記第１蓄電スタックの少なくとも一部は、前記トンネルの内側に位置していることを特徴とする請求項１１に記載の蓄電装置。
【請求項１３】
前記ケースに収容され、複数の蓄電素子を含む第２蓄電スタックを備えており、
前記第２蓄電スタックは、前記第１蓄電スタックに沿って、前記電子機器と並んで配置されていることを特徴とする請求項１１又は１２に記載の蓄電装置。
【発明の詳細な説明】
【技術分野】
【０００１】
本発明は、蓄電装置が搭載された車両に関する。
【背景技術】
【０００２】
電池が搭載された車両では、電池の出力を用いて車両を走行させている。ここで、電池の充放電を制御するために用いられる電子機器（例えば、リレー）は、電池の上部に配置される。
【先行技術文献】
【特許文献】
【０００３】
【特許文献１】特開２００９−０８７７７３号公報
【特許文献２】特開２０１０−０１５７８８号公報
【発明の概要】
【発明が解決しようとする課題】
【０００４】
車両に対する電池の搭載位置に応じて、電池や電子機器を効率良く配置する必要がある。
【課題を解決するための手段】
【０００５】
本願第１の発明である車両は、フロアパネルと、フロアパネルの下面に固定され、車両の走行に用いられるエネルギを出力する蓄電装置と、を有する。蓄電装置は、複数の蓄電素子を含む第１蓄電スタックと、蓄電装置の充放電を制御するために用いられ、第１蓄電スタックに対して車両の下方に位置する電子機器と、第１蓄電スタックおよび電子機器を収容し、フロアパネルの下面に固定されるケースと、を有する。【０００６】
本願第２の発明は、車両に搭載され、車両の走行に用いられるエネルギを出力する蓄電装置であって、複数の蓄電素子を含む第１蓄電スタックと、蓄電装置の充放電を制御するために用いられ、第１蓄電スタックに対して車両の下方に位置する電子機器と、第１蓄電スタックおよび電子機器を収容し、車両のフロアパネルの下面に固定されるケースと、を有する。【０００７】
第１蓄電スタックにダクトを接続することにより、冷却媒体を第１蓄電スタックに供給して、第１蓄電スタックの温度上昇を抑制できる。冷却媒体としては、例えば、車両の外部に存在する空気を用いることができる。ここで、電子機器は、第１蓄電スタックおよびダクトの接続部分に対して、車両の下方に配置することができる。電子機器としては、例えば、蓄電装置および負荷の間における通電および非通電を切り替えるリレーを用いることができる。【０００８】
電子機器で発生した熱は、上昇して第１蓄電スタックに到達する。このため、第１蓄電スタックのうち、電子機器からの熱を受ける部分は、ダクトと接続された部分であり、ダクトからの冷却媒体が最初に到達する部分となる。これにより、電子機器からの熱による第１蓄電スタックの温度上昇を抑制することができる。【０００９】
車両の上方に向かって窪んだトンネルをフロアパネルに設けることができる。そして、第１蓄電スタックの少なくとも一部を、トンネルの内側に配置することができる。これにより、トンネルを備えたフロアパネルに対して、デッドスペースの発生を抑制しつつ、蓄電装置を取り付けることができる。【００１０】
トンネルが、車両の前後方向に延びている場合には、第１蓄電スタックの複数の蓄電素子を、トンネルの長手方向に並べることができる。これにより、第１蓄電スタックを、トンネルに沿って容易に配置することができる。また、運転席および助手席の間にトンネルを位置させれば、車室内の居住性に悪影響を与えることもない。【００１１】
第１蓄電スタックの他に、第２蓄電スタックを設けることができる。第２蓄電スタックを用いることにより、蓄電装置の出力性能を向上させることができる。第２蓄電スタックは、第１蓄電スタックに沿って配置することができ、電子機器と並んで配置することができる。これにより、蓄電装置をフロアパネルに沿って配置することができる。【００１２】
第２蓄電スタックに含まれる複数の蓄電素子は、車両の左右方向に並べることができる。また、複数の第２蓄電スタックを用いる場合には、複数の第２蓄電スタックを、車両の前後方向に並べることができる。第２蓄電スタックには、ダクトを接続して、冷媒を供給することができる。
【発明の効果】
【００１３】
本発明によれば、フロアパネルの下面に蓄電装置を固定する構造において、第１蓄電スタックに対して車両の下方に電子機器を配置することにより、フロアパネルに対して蓄電装置を効率良く配置することができる。複数の蓄電素子を含む第１蓄電スタックは、電子機器よりも大きくなりやすく、第１蓄電スタックの上方に電子機器を配置すると、第１蓄電スタックおよびフロアパネルの間にデッドスペースが生じやすい。本発明によれば、このようなデッドスペースを生じさせることなく、フロアパネルに対して蓄電装置を固定することができる。
【図面の簡単な説明】
【００１４】
【図１】電池パックを備えた車両の側面図である。
【図２】電池パックの外観図である。
【図３】電池パックおよびフロアパネルを車両の前方から見たときの概略図である。
【図４】電池パックの分解図である。
【図５】ロアーケースの分解図である。
【図６】電池スタックの分解図である。
【図７】電池スタックの固定構造を示す外観図である。
【図８】電池パックの内部構造を説明する外観図である。
【図９】電池スタックの押し付け構造を示す外観図である。
【図１０】電池パックの内部構造を説明する外観図である。
【図１１】吸気ダクトおよび分岐ダクトの上面図である。
【図１２】吸気ダクトおよび分岐ダクトの側面図である。
【図１３】電池パックの内部構造を説明する外観図である。
【図１４】電池パックの回路構成を示す図である。
【図１５】電池パックの内部構造を示す側面図である。
【図１６】電池スタックにおける空気の移動経路を説明する図である。
【図１７】電池スタックにおける空気の移動経路を説明する図である。
【発明を実施するための形態】
【００１５】
以下、本発明の実施例について説明する。
【実施例１】
【００１６】
本発明の実施例１である電池パック（蓄電装置に相当する）について説明する。まず、本実施例の電池パックを備えた車両について、図１を用いて説明する。図１は、車両の側面図であり、電池パックと、電池パックの温度を調節する機構とを主に示している。図１に示す矢印ＵＰは、車両の上方向を示し、矢印ＦＲは、車両の前進方向を示す。【００１７】
本実施例の車両１００は、フロアパネル１０１を有しており、フロアパネル１０１の下面には、電池パック１が取り付けられている。フロアパネル１０１の上面は、車室の一部を形成しているため、電池パック１は、車室の外に配置される。車室とは、乗員が乗車するスペースである。フロアパネル１０１は、車両１００のボディの一部である。【００１８】
電池パック１が搭載される車両１００としては、ハイブリッド自動車や電気自動車がある。ハイブリッド自動車は、車両１００を走行させる動力源として、電池パック１の他に、内燃機関又は燃料電池を備えた車両である。電気自動車は、車両１００の動力源として、電池パック１だけを備えた車両である。【００１９】
電池パック１は、モータ・ジェネレータ（図示せず）に接続されており、モータ・ジェネレータは、電池パック１の出力を受けて、車両１００を走行させるための運動エネルギを生成する。モータ・ジェネレータの回転力は、動力伝達機構を介して、車輪に伝達される。【００２０】
電池パック１およびモータ・ジェネレータの間に、昇圧回路やインバータを配置できる。昇圧回路を配置すれば、電池パック１の出力電圧を昇圧できる。インバータを用いれば、電池パック１から出力された直流電力を交流電力に変換でき、モータ・ジェネレータとして、三相交流モータを用いることができる。モータ・ジェネレータは、車両１００の制動時に発生する運動エネルギを電気エネルギに変換し、電池パック１に出力する。電池パック１は、モータ・ジェネレータからの電力を蓄える。【００２１】
電池パック１には、吸気ダクト１０２が接続されており、吸気ダクト１０２は、電池パック１よりも車両１００の前方に配置されている。吸気ダクト１０２の一端には、吸気口１０２ａが設けられており、吸気口１０２ａから空気が取り込まれる。吸気ダクト１０２の他端１０２ｂは、電池パック１に接続されている。【００２２】
ブロワ１０３は、吸気ダクト１０２に設けられており、ブロワ１０３を駆動することにより、吸気ダクト１０２の吸気口１０２ａから電池パック１に向けて空気が移動する。本実施例では、ブロワ１０３を吸気ダクト１０２に設けているが、これに限るものではない。吸気ダクト１０２の吸気口１０２ａから電池パック１に向けて空気が流れればよく、例えば、後述する排気ダクト１０６にブロワ１０３を設けることもできる。【００２３】
エアクリーナ１０４は、吸気ダクト１０２に設けられており、吸気ダクト１０２の吸気口１０２ａから取り込まれた空気を浄化する。具体的には、エアクリーナ１０４は、フィルタを用いて、空気に含まれる異物を除去する。ブロワ１０３およびエアクリーナ１０４は、ダッシュボード１０５よりも車両１００の前方に設けられたスペースに配置されている。このスペースは、車両１００がエンジンを備えた自動車であれば、エンジンルームに相当する。【００２４】
吸気ダクト１０２から電池パック１に導かれた空気は、電池パック１の内部を通過した後に、排気ダクト１０６に進入する。電池パック１の内部を空気が通過することにより、電池パック１の温度を調節できる。例えば、空気が電池パック１の熱を奪うことにより、電池パック１を冷却できる。電池パック１の内部における空気の流れについては、後述する。【００２５】
排気ダクト１０６の一端１０６ａは、電池パック１に接続されている。排気ダクト１０６の他端には、排気口１０６ｂが形成されている。排気ダクト１０６の他端側は、リアバンパケース１０７の内側に配置されている。排気口１０６ｂから排出された空気は、リアバンパケース１０７の内側に形成されたスペースに移動する。【００２６】
次に、電池パック１の構成について説明する。図２は、電池パック１の外観図である。図３は、電池パック１およびフロアパネル１０１を車両１００の前方から見たときの概略図である。図４は、電池パック１の分解図である。図２に示す矢印ＲＨは、車両１００の前進方向ＦＲを向いたときの右方向を示し、図４に示す矢印ＬＨは、車両１００の前進方向ＦＲを向いたときの左方向を示す。【００２７】
電池パック１は、５つの電池スタック（蓄電スタックに相当する）１１〜１５と、電池スタック１１〜１５を収容するパックケース２０とを有する。パックケース２０の外縁には、複数の締結部２０ａが設けられており、締結部２０ａは、電池パック１をフロアパネル１０１に固定するために用いられる。【００２８】
パックケース２０の上面には、突起部２０ｂが形成されている。突起部２０ｂは、上方に向かって突出しているとともに、車両１００の前後方向に延びている。図３に示すように、パックケース２０の上面は、フロアパネル１０１に沿って配置される。フロアパネル１０１は、センタートンネル１０１ａを有している。センタートンネル１０１ａは、上方に向かって突出しているとともに、車両１００の前後方向に延びている。センタートンネル１０１ａは、車両１００の左右方向において、運転席および助手席の間に設けられている。センタートンネル１０１ａの内側には、パックケース２０の突起部２０ｂが位置している。【００２９】
図４に示すように、電池パック１は、５つの電池スタック１１〜１５を有しており、電池スタック１１〜１５は、アッパーケース２１およびロアーケース２２によって覆われている。アッパーケース２１は、複数のボルト２３によって、ロアーケース２２に固定される。アッパーケース２１は、例えば、ガラス繊維を含む樹脂を用いて形成できる。【００３０】
電池スタック１１〜１４は、車両１００の左右方向に延びており、４つの電池スタック１１〜１４は、車両１００の前後方向に並んでいる。４つの電池スタック１１〜１４（第２蓄電スタックに相当する）の上方には、電池スタック（第１蓄電スタックに相当する）１５が配置されており、電池スタック１５は、車両１００の前後方向に延びている。電池スタック１５は、パックケース２０の突起部２０ｂに対応した位置に配置される。すなわち、電池スタック１５は、センタートンネル１０１ａの内側に位置している。【００３１】
ロアーケース２２は、図５に示すように、ロアキャリア２２１およびフレーム２２２を有する。電池スタック１１〜１５は、ロアキャリア２２１に固定される。ロアキャリア２２１は、複数のボルト２４によってフレーム２２２に固定される。ロアキャリア２２１は、例えば、ガラス繊維を含む樹脂を用いて形成できる。フレーム２２２は、鉄といった金属を用いて形成できる。フレーム２２２は、ロアーケース２２の強度を確保するために用いられる。フレーム２２２は、フロアパネル１０１に固定される。【００３２】
次に、各電池スタック１１〜１５の構成について説明する。図６は、電池スタック１１の分解図である。電池スタック１１は、一方向に並んで配置された複数の単電池（蓄電素子に相当する）１１１を有する。本実施例では、各電池スタック１１〜１５を構成する単電池の数が互いに異なっている。電池スタック１１〜１５を構成する単電池の数は、適宜設定できる。本実施例では、ロアーケース２２の形状に基づいて、電池スタック１１〜１５を構成する単電池の数を設定している。【００３３】
単電池１１１としては、ニッケル水素電池やリチウムイオン電池といった二次電池を用いることができる。また、二次電池の代わりに、電気二重層キャパシタ（コンデンサ）を用いることもできる。本実施例の電池スタック１１〜１５では、複数の単電池を一方向に並べているが、これに限るものではない。具体的には、複数の単電池を用いて１つの電池モジュールを構成し、複数の電池モジュールを一方向に並べることもできる。【００３４】
単電池１１１の内部には、発電要素が収容されている。発電要素は、充放電を行うことができる要素である。発電要素は、例えば、正極素子と、負極素子と、正極素子および負極素子の間に配置されるセパレータ（電解液を含む）とで構成することができる。正極素子は、集電板の表面に正極活物質層を形成したものである。負極素子は、集電板の表面に負極活物質層を形成したものである。【００３５】
単電池１１１の上面には、正極端子１１１ａおよび負極端子１１１ｂが設けられている。正極端子１１１ａは、発電要素の正極素子と電気的に接続されている。負極端子１１１ｂは、発電要素の負極素子と電気的に接続されている。隣り合う２つの単電池１１１は、バスバーによって電気的に接続される。【００３６】
本実施例では、複数のバスバーが一体的に構成されたバスバーモジュール１１０を用いている。バスバーモジュール１１０は、電池スタック１１の上面に配置される。バスバーモジュール１１０は、複数のバスバーと、各バスバーを保持するホルダとを有する。ホルダは、絶縁性を有する材料（例えば、樹脂）で形成されている。各バスバーは、絶縁性を有するカバー（例えば、樹脂製のカバー）で覆うことができ、カバーは、ホルダに取り付けることができる。【００３７】
電池スタック１１の両端には、一対のエンドプレート１１２が配置されている。拘束バンド１１３は、複数の単電池１１１の配列方向に延びており、拘束バンド１１３の両端部が一対のエンドプレート１１２に固定されている。電池スタック１１の上面には、２つの拘束バンド１１３が配置され、電池スタック１１の下面にも、２つの拘束バンド１１３が配置されている。【００３８】
拘束バンド１１３をエンドプレート１１２に固定することにより、一対のエンドプレート１１２は、互いに近づく方向に変位する。これにより、一対のエンドプレート１１２によって挟まれた複数の単電池１１１に対して、拘束力を与えることができる。隣り合う２つの単電池１１１の間には、スペーサが配置されており、隣り合う２つの単電池１１１の間には、空気が進入することができる。【００３９】
吸気チャンバ１１４および排気チャンバ１１５は、電池スタック１１の両側面に配置される。具体的には、吸気チャンバ１１４および排気チャンバ１１５は、複数の単電池１１１の配列方向と直交する方向において、複数の単電池１１１を挟む位置に配置される。吸気チャンバ１１４は、接続口１１４ａを有しており、接続口１１４ａには、吸気ダクト１０２からの空気が進入する。吸気チャンバ１１４の内側に移動した空気は、隣り合う２つの単電池１１１の間に形成されたスペースに進入する。そして、空気は、吸気チャンバ１１４から排気チャンバ１１５に向かって移動する。【００４０】
空気および単電池１１１の間で熱交換が行われることにより、単電池１１１の温度を調節できる。単電池１１１が充放電によって発熱しているときには、空気が単電池１１１の熱を奪うことにより、単電池１１１の温度上昇を抑制できる。２つの単電池１１１の間を通過した空気は、排気チャンバ１１５に移動する。排気チャンバ１１５の両端には、排気口１１５ａが設けられており、熱交換後の空気は、排気口１１５ａから排出される。排気口１１５ａから排出された空気は、アッパーケース２１およびロアーケース２２の間に形成されたスペースに移動する。【００４１】
電池スタック１２〜１５の構成は、基本的には、電池スタック１１の構成と同様である。ただし、電池スタック１１〜１５を構成する単電池の数は、互いに異なる。ここで、各電池スタック１１〜１４を構成する複数の単電池は、車両１００の左右方向に並んでおり、電池スタック１５を構成する複数の単電池は、車両１００の前後方向に並んでいる。【００４２】
図７に示すように、電池スタック１１のエンドプレート１１２には、ボルト１１７によって、ブラケット１１６が固定される。ブラケット１１６は、図８に示すように、ボルト１１８によってロアーケース２２に固定される。これにより、電池スタック１１は、ロアーケース２２に固定される。【００４３】
ブラケット１２０は、電池スタック１２をロアーケース２２に固定するために用いられる。具体的には、ブラケット１２０は、電池スタック１２の一対のエンドプレートに固定されるとともに、ロアーケース２２に固定される。ブラケット１３０は、電池スタック１３をロアーケース２２に固定するために用いられる。具体的には、ブラケット１３０は、電池スタック１３の一対のエンドプレートに固定されるとともに、ロアーケース２２に固定される。ブラケット１４０は、電池スタック１４をロアーケース２２に固定するために用いられる。具体的には、ブラケット１４０は、電池スタック１４の一対のエンドプレートに固定されるとともに、ロアーケース２２に固定される。【００４４】
ロアーケース２２は、２つのリブ２２ａ，２２ｂを有する。リブ２２ａ，２２ｂは、上方に向かって突出しているとともに、車両１００の左右方向に延びている。リブ２２ａ，２２ｂは、フレーム２２２（図５参照）の一部によって構成されている。リブ２２ａよりも車両１００の前方に位置する第１領域Ｓ１には、電池スタック１２が搭載される。リブ２２ａおよびリブ２２ｂの間に位置する第２領域Ｓ２には、電池スタック１１が搭載される。リブ２２ｂよりも車両１００の後方に位置する第３領域Ｓ３には、電池スタック１３，１４が搭載される。【００４５】
図９に示すように、２つのブラケット３０は、電池スタック１１をロアーケース２２に押さえつける。ブラケット３０の固定部３１は、ボルトによってロアーケース２２に固定される。ブラケット３０の押さえ部３２は、電池スタック１１を上方から押し付ける。ブラケット３０の上面部３３は、電池スタック１１の上面から離れており、４つのピン３４を有する。ピン３４は、電池監視ユニット４０を上面部３３に固定するために用いられる。電池監視ユニット４０は、後述するように、電池スタック１１〜１５で構成される２つの組電池の状態を監視する。【００４６】
電池スタック１２〜１４も、ブラケットによって、ロアーケース２２に押し付けられる。電池スタック１２〜１４を押し付けるブラケットは、図９に示すブラケット３０と同様の構造を有している。電池スタック１２〜１４を押し付けるブラケットには、ブラケット３０のピン３４が設けられておらず、電池監視ユニット４０が取り付けられていない。【００４７】
図１０および図１１に示すように、吸気ダクト１０２には、４つの分岐ダクト５１〜５４が接続されている。図１０は、分岐ダクト５１〜５４の配置を示す図であり、図１１は、分岐ダクト５１〜５４の上面図である。図１２に示すように、分岐ダクト５２は、爪部５２ｂを有しており、吸気ダクト１０２は、爪部５２ｂと係合する凹部１０２ｃを有する。爪部５２ｂおよび凹部１０２ｃが係合することにより、分岐ダクト５２を吸気ダクト１０２に固定できる。図１２は、図１１の矢印Ｄ１の方向から見たときの図である。【００４８】
分岐ダクト５１，５３，５４についても、分岐ダクト５２の爪部５２ｂに対応する爪部を有しており、吸気ダクト１０２の凹部１０２ｃと係合する。これにより、分岐ダクト５１，５３，５４を吸気ダクト１０２に接続できる。吸気ダクト１０２からの空気は、４つの分岐ダクト５１〜５４に移動する。図１１および図１２の点線で示す矢印は、空気の移動方向を示す。【００４９】
分岐ダクト５１の接続口５１ａは、電池スタック１１に設けられた吸気チャンバ１１４の接続口１１４ａと接続している。分岐ダクト５１は、電池スタック１１のうち、車両１００の前方側に位置する側面に接続されている。分岐ダクト５１の空気は、電池スタック１１の単電池１１１に供給される。分岐ダクト５２の接続口５２ａは、電池スタック１２の吸気チャンバと接続されており、分岐ダクト５２の空気は、電池スタック１２の単電池に供給される。分岐ダクト５２は、電池スタック１２のうち、車両１００の前方側に位置する側面に接続されている。【００５０】
分岐ダクト５３の接続口５３ａは、電池スタック１３の吸気チャンバと接続されており、分岐ダクト５３の空気は、電池スタック１３の単電池に供給される。分岐ダクト５３は、電池スタック１３のうち、車両１００の前方側に位置する側面に接続されている。分岐ダクト５４の接続口５４ａは、電池スタック１４の吸気チャンバと接続されており、分岐ダクト５４の空気は、電池スタック１４の単電池に供給される。分岐ダクト５４は、電池スタック１２のうち、車両１００の後方側に位置する側面に接続されている。【００５１】
図１０に示すように、吸気ダクト１０２の下方には、電子機器６０が配置されている。電子機器６０は、ロアーケース２２に固定されている。電子機器６０は、電池スタック１１〜１５の充放電を制御するために用いられる機器である。電子機器６０としては、例えば、システムメインリレーがある。システムメインリレーは、電池スタック１１〜１５の充放電を許容したり、禁止したりする。【００５２】
図１３に示すように、分岐ダクト５１〜５４の上面には、台座８０が配置される。台座８０は、吸気ダクト１０２の一部の上面にも位置している。上方から見たときに、台座８０および分岐ダクト５１〜５４は、互いに重なっている。台座８０は、下方に延びる脚（不図示）を有しており、脚の先端がロアーケース２２に固定される。これにより、分岐ダクト５１〜５４の上面において、台座８０を位置決めできる。本実施例では、脚を用いて台座８０を固定しているが、これに限るものではない。例えば、隣り合う２つの電池スタック（１１〜１４）の間に、ブラケットを配置し、ブラケットに台座を固定できる。【００５３】
台座８０の上面には、複数のピン８１が設けられており、各ピン８１には、ネジ溝が形成されている。台座６０の上面には、電池スタック１５が配置される。電池スタック１５は、複数の単電池１５１を有し、複数の単電池１５１は、一方向（車両１００の前後方向）に並んでいる。【００５４】
電池スタック１５の両端には、一対のエンドプレート１５２が配置されている。拘束バンド１５３は、車両１００の前後方向に延びており、拘束バンド１５３の両端は、一対のエンドプレート１５２に固定される。電池スタック１５の上面には、２つの拘束バンド１５３が配置され、電池スタック１５の下面には、２つの拘束バンド１５３が配置されている。拘束バンド１５３およびエンドプレート１５２を用いることにより、複数の単電池１５１に対して拘束力を与えることができる。【００５５】
２つのブラケット１５６，１５８は、ボルト１５９ａによって、各エンドプレート１５２に固定される。台座８０のピン８１は、ブラケット１５６，１５８を貫通して、ナット１５９ｂと噛み合う。【００５６】
電池スタック１５の両側面には、吸気チャンバ１５４および排気チャンバ１５５が配置されている。吸気チャンバ１５４は、複数の単電池１５１の配列方向に延びており、吸気チャンバ１５４の一端には、接続口１５４ａが設けられている。吸気チャンバ１５４の他端は、塞がれている。排気チャンバ１５５は、複数の単電池１５１の配列方向に延びており、排気チャンバ１５５の一端には、排気口１５５ａが設けられている。排気チャンバ１５５の他端は、塞がれている。接続口１５４ａは、車両１００の前後方向における電池スタック１５の一端に設けられ、排気口１５５ａは、車両１００の前後方向における電池スタック１５の他端に設けられている。接続口１５４ａは、吸気ダクト１０２と接続され、吸気ダクト１０２からの空気が吸気チャンバ１５４に進入する。【００５７】
ブラケット１５７は、複数の単電池１５１の配列方向に延びており、電池スタック１５のＬＨ側の面に固定されている。台座８０のピン８１は、ブラケット１５７を貫通して、ナット１５９ｂと噛み合う。図１３には示していないが、電池スタック１５のＲＨ側の面にも、ブラケット１５７が固定されている。３種類のブラケット１５６〜１５８を用いることにより、電池スタック１５が台座８０に固定される。電池スタック１５の上面には、図６で説明したように、バスバーモジュールが配置される。【００５８】
電池スタック１２〜１４は、ブラケット３０によって、ロアーケース２２に押し付けられている。ブラケット３０の形状は、電池スタック１２〜１４に応じて異なっている。５つの電池スタック１１〜１５は、ワイヤーハーネス７０を介して電気的に接続されている。ロアーケース２２の側壁には、開口部２２ｃが形成されており、開口部２２ｃは、電池スタック１１〜１５および負荷を接続するケーブルを通過させるために設けられている。【００５９】
２つの電池監視ユニット４０の一方には、電流遮断器７１が固定されている。電流遮断器７１は、電池スタック１１〜１５の電流経路を遮断するために用いられる。電流遮断器７１は、プラグと、プラグに差し込まれるグリップとで構成されており、グリップをプラグから抜くことにより、電流経路を遮断することができる。【００６０】
次に、電池パック１の回路構成について、図１４を用いて説明する。【００６１】
本実施例では、５つの電池スタック１１〜１５を用いて、２つの組電池９１，９２を構成しており、組電池９１，９２は、電気的に並列に接続している。組電池９１，９２を構成する単電池の数は、互いに等しい。組電池９１，９２は、負荷に接続されている。負荷としては、例えば、モータ・ジェネレータ、昇圧回路、インバータがある。【００６２】
図１３に示す２つの電池監視ユニット４０の一方は、組電池９１の状態を監視するために用いられ、他方の電池監視ユニット４０は、組電池９２の状態を監視するために用いられる。組電池９１，９２の状態には、電流、電圧、温度が含まれる。電圧には、各組電池９１，９２の電圧、単電池の電圧、組電池９１，９２を構成する複数の単電池を複数のブロックに分けたときの電圧が含まれる。各ブロックには、２つ以上の単電池が含まれる。温度には、各組電池９１，９２を１箇所又は複数箇所で測定したときの温度が含まれる。【００６３】
電池監視ユニット４０で監視される電流、電圧および温度は、電池スタック１１〜１５の充放電を制御するために用いられる。例えば、電流等は、電池スタック１１〜１５のＳＯＣを推定するために用いたり、電池スタック１１〜１５の劣化状態を推定するために用いたりする。また、電圧等は、電池スタック１１〜１５の過充電や過放電を抑制するために用いられる。【００６４】
組電池９１は、２つの電池スタック１１，１５と、電池スタック１３の一部とで構成されており、電池スタック１１，１５，１３の単電池は電気的に直列に接続されている。組電池９２は、２つの電池スタック１２，１４と、電池スタック１３の一部とで構成されており、電池スタック１２，１４，１３の単電池は電気的に直列に接続されている。【００６５】
各電池スタック１１〜１５には、ヒューズ７２が設けられている。電池スタック１１および電池スタック１５の間には、電流遮断器７１が設けられており、電池スタック１２および電池スタック１４の間には、電流遮断器７１が設けられている。２つの電流遮断器７１は、一体的に構成されており、電流遮断器７１のグリップを引き抜くことにより、各組電池９１，９２の電流経路を同時に遮断することができる。【００６６】
組電池９１のプラス端子には、システムメインリレーＳＭＲ＿Ｂ１が接続されており、組電池９２のプラス端子には、システムメインリレーＳＭＲ＿Ｂ２が接続されている。組電池９１，９２のマイナス端子には、システムメインリレーＳＭＲ＿Ｇが接続されている。システムメインリレーＳＭＲ＿Ｐおよび抵抗７３は、システムメインリレーＳＭＲ＿Ｇと並列に接続されている。システムメインリレーＳＭＲ＿Ｂ１，Ｂ２，Ｇ，Ｐは、上述した電子機器６０に含まれる。【００６７】
組電池９１，９２および負荷を電気的に接続するためには、まず、システムメインリレーＳＭＲ＿Ｂ１，Ｂ２およびシステムメインリレーＳＭＲ＿Ｐを、オフからオンに切り替える。次に、システムメインリレーＳＭＲ＿Ｇをオフからオンに切り替えた後に、システムメインリレーＳＭＲ＿Ｐをオンからオフに切り替える。これにより、組電池９１，９２の充放電を行うことができる。一方、組電池９１，９２を、直流電源又は交流電源と接続することにより、組電池９１，９２の充電を行うことができる。【００６８】
次に、電池パック１に供給される空気の流れについて、図１５〜図１７を用いて説明する。【００６９】
図１５に示すように、吸気ダクト１０２からの空気は、電池スタック１５に導かれるとともに、分岐ダクト５１〜５４を通過して電池スタック１１〜１４に導かれる。空気が電池スタック１５に移動すると、図１６の矢印で示すように、空気は、吸気チャンバ１５４に沿って移動するとともに、隣り合う２つの単電池１５１の間に形成されたスペースに進入する。空気および単電池１５１の間で熱交換が行われることにより、単電池１５１の温度が調節される。【００７０】
電池スタック１５に導かれた空気は、吸気チャンバ１５４から排気チャンバ１５５に向かって移動する。熱交換後の空気は、排気チャンバ１５５に移動し、排気チャンバ１５５の排気口１５５ａから排出される。排気口１５５ａから排出された空気は、アッパーケース２１およびロアーケース２２で囲まれたスペース（電池スタック１１〜１５の収容スペース）に移動する。【００７１】
分岐ダクト５１を通過する空気は、電池スタック１１に導かれる。電池スタック１１に導かれた空気は、吸気チャンバ１１４に沿って移動する。ここで、空気は、電池スタック１１の両端に向かって移動する。また、空気は、電池スタック１１の配列方向に沿って移動するとともに、隣り合う２つの単電池１１１の間に形成されたスペースに進入する。空気および単電池１１１の間で熱交換が行われることにより、単電池１１１の温度が調節される。熱交換後の空気は、排気チャンバ１１５に移動し、電池スタック１１の両端に設けられた排気口１１５ａから排出される。排気口１１５ａから排出された空気は、アッパーケース２１およびロアーケース２２で囲まれたスペースに移動する。【００７２】
分岐ダクト５２から電池スタック１２に導かれた空気は、吸気チャンバ内で電池スタック１２の両端に向かって移動するとともに、隣り合う２つの単電池の間に形成されたスペースに移動する。ここで、単電池との間で熱交換が行われた空気は、排気チャンバに移動し、電池スタック１２の両端に設けられた排気口から排出される。電池スタック１２の排気口から排出された空気は、アッパーケース２１およびロアーケース２２で囲まれたスペースに移動する。【００７３】
分岐ダクト５３から電池スタック１３に導かれた空気は、吸気チャンバ内で電池スタック１３の両端に向かって移動するとともに、隣り合う２つの単電池の間に形成されたスペースに移動する。ここで、単電池との間で熱交換が行われた空気は、排気チャンバに移動し、電池スタック１３の両端に設けられた排気口から排出される。電池スタック１３の排気口から排出された空気は、アッパーケース２１およびロアーケース２２で囲まれたスペースに移動する。【００７４】
分岐ダクト５４から電池スタック１４に導かれた空気は、吸気チャンバ内で電池スタック１４の両端に向かって移動するとともに、隣り合う２つの単電池の間に形成されたスペースに移動する。ここで、単電池との間で熱交換が行われた空気は、排気チャンバに移動し、電池スタック１４の両端に設けられた排気口から排出される。電池スタック１４の排気口から排出された空気は、アッパーケース２１およびロアーケース２２で囲まれたスペースに移動する。【００７５】
電池スタック１３の排気チャンバと、電池スタック１４の排気チャンバとは、車両１００の前後方向において向かい合っている。ここで、電池スタック１３，１４は、車両１００の前後方向において近づいている。すなわち、電池スタック１３，１４の間隔は、電池スタック１１，１２の間隔や、電池スタック１１，１３の間隔よりも狭くなっている。このように電池スタック１３，１４を近づけて配置すると、例えば、電池スタック１３の排熱が電池スタック１４の単電池に到達してしまうおそれがある。【００７６】
本実施例では、電池スタック１３，１４の排気チャンバが、向かい合っているため、例えば、電池スタック１３の排気チャンバの熱は、電池スタック１４の排気チャンバに到達するだけである。電池スタック１３からの熱は、電池スタック１４の排気チャンバに到達しても、電池スタック１４の排気チャンバから排出されるだけである。したがって、電池スタック１３からの熱が、電池スタック１４の単電池に到達するのを防止できる。【００７７】
パックケース２０の内部に存在する空気（熱交換後の空気）は、排気ダクト１０６に導かれて、パックケース２０の外部に移動する。排気ダクト１０６に進入した空気は、排気ダクト１０６に沿って移動し、排気口１０６ｂ（図１参照）から車両１００の外部に排出される。【００７８】
図１５〜図１７に示すように、電池スタック１５の下方には、電子機器６０が配置されているため、電子機器６０で発生した熱が、上昇して電池スタック１５に到達しやすい。本実施例では、電池スタック１５および吸気ダクト１０２の接続部分が、電子機器６０の上方に位置している。このため、電池スタック１５のうち、電子機器６０の熱が到達しやすい部分には、吸気ダクト１０２からの空気が最初に到達する。したがって、電池スタック１５の一部分だけが、電子機器６０の熱によって温められるのを抑制することができる。そして、複数の単電池１５１の配列方向において、単電池１５１の温度にバラツキが発生するのを抑制することができる。【００７９】
本実施例のように、センタートンネル１０１ａの内側に電池スタック１５を配置することにより、より多くの数の電池スタック１１〜１５によって電池パック１を構成することができる。センタートンネル１０１ａは、運転席および助手席の間に位置しているため、センタートンネル１０１ａを設けても、車室内の居住性に悪影響を与えることもない。【００８０】
また、電池スタック１５をセンタートンネル１０１ａ内に配置するとともに、電子機器６０および電池スタック１１〜１４を、同一面内に配置することにより、フロアパネル１０１に沿って電池パック１を配置できる。言い換えれば、電池パック１を車両１００の外面に沿って効率良く配置でき、電池パック１が車両１００の上下方向において大型化するのを防止できる。【００８１】
本実施例では、フロアパネル１０１のセンタートンネル１０１ａに、１つの電池スタック１５を配置しているが、これに限るものではない。例えば、複数の電池スタックを、センタートンネル１０１ａに配置できる。センタートンネル１０１ａ内に配置される複数の電池スタックは、車両１００の前後方向に並んでいてもよいし、車両１００の左右方向に並んでいてもよい。一方、電池スタック１５の全体が、センタートンネル１０１ａの内側に位置している必要はなく、電池スタック１５の一部だけを、センタートンネル１０１ａの内側に位置させることができる。【００８２】
本実施例では、図１４で説明したように、２つの組電池９１，９２を電気的に並列に接続しているが、これに限るものではない。例えば、組電池９１，９２を直列に接続することができる。また、電池スタック１１〜１５を用いて３つ以上の組電池を構成し、これらの組電池を電気的に並列に接続することもできる。一方、本実施例では、車両１００の外部に存在する空気を電池パック１に供給しているが、車室内の空気を電池パック１に供給することができる。【００８３】
電池スタック１５の下方には、電池スタック１１〜１４および電子機器６０が配置されているが、これに限るものではない。例えば、電池スタック１５の下方に電子機器６０だけを配置することができる。電池スタック１５は、複数の単電池１５１等で構成されており、電子機器６０よりも大きい。そこで、電池スタック１５をフロアパネル１０１に沿って配置するとともに、電池スタック１５の下方に電子機器６０を配置することにより、電池スタック１５および電子機器６０を、フロアパネル１０１に対して効率良く配置することができる。電子機器６０を電池スタック１５の上方に配置すると、電池スタック１５および電子機器６０の間にデッドスペースが生じやすい。本実施例のように、電子機器６０を電池スタック１５の下方に配置すれば、デッドスペースを発生しにくくすることができる。【００８４】
本実施例では、電池スタック１５の下方に、４つの電池スタック１１〜１４を配置しているが、これに限るものではない。具体的には、電池スタック１５の下方に配置される電池スタックの数は、１つ以上とすることができる。
【図１】
0005447676.tif 000002
【図２】
0005447676.tif 000003
【図３】
0005447676.tif 000004
【図４】
0005447676.tif 000005
【図５】
0005447676.tif 000006
【図６】
0005447676.tif 000007
【図７】
0005447676.tif 000008
【図８】
0005447676.tif 000009
【図９】
0005447676.tif 000010
【図１０】
0005447676.tif 000011
【図１１】
0005447676.tif 000012
【図１２】
0005447676.tif 000013
【図１３】
0005447676.tif 000014
【図１４】
0005447676.tif 000015
【図１５】
0005447676.tif 000016
【図１６】
0005447676.tif 000017
【図１７】
0005447676.tif 000018